(57)【要約】【課題】移動棚への被冷却物の収容を容易に行える冷却庫を得る。【解決手段】本発明の冷却庫は、断熱構造の本体ケース１の前面開口側に、引出し扉式の移動棚２が配置される。移動棚２は、前面および上面が開口する棚本体１３の前端に上下揺動可能に支持されて棚本体１３の前面開口を開閉する前扉１４を有する。前扉１４は、棚本体１３の前面開口を閉じる縦姿勢と、縦姿勢から９０°倒れて棚本体１３の前面開口を開く横臥姿勢との間で切り替えられる。移動棚２は、棚本体１３の全体が本体ケース１内に収容された後退位置と、棚本体１３が後退位置よりも前方に引き出された前方位置との間でスライド移動する。移動棚２を後退位置から前方位置まで引き出すととも、前扉１４を横臥姿勢に切り替えたとき、棚本体１３に対する被冷却物の収容動作が可能となる。移動規制手段４０によって移動棚２の前方位置における前後方向の移動を規制する。【選択図】図１
2010014341.tif 000002
【特許請求の範囲】
【請求項１】
断熱構造の本体ケース（１）の前面開口側に、引出し扉式の移動棚（２）が配置された冷却庫であって、
移動棚（２）は、前面および上面が開口する棚本体（１３）と、該棚本体（１３）の前端に上下揺動可能に支持されて棚本体（１３）の前面開口を開閉する前扉（１４）とを有し、前扉（１４）は、棚本体（１３）の前面開口を閉じる縦姿勢と、縦姿勢から９０°倒れて棚本体（１３）の前面開口を開く横臥姿勢との間で切り替え可能に構成されており、
移動棚（２）は、棚本体（１３）の全体が本体ケース（１）内に収容された後退位置と、棚本体（１３）が後退位置よりも前方に引き出された前方位置との間で、前後方向にスライド移動可能に構成されており、
移動棚（２）を後退位置から前方位置まで引き出すととも、前扉（１４）を横臥姿勢に切り替えたとき、棚本体（１３）に対する被冷却物の収容動作が可能となっており、
移動棚（２）の前方位置における前後方向の移動を規制するための移動規制手段（４０）が設けられていることを特徴とする冷却庫。
【請求項２】
移動規制手段（４０）は、移動棚（２）の棚本体（１３）に固定された棚側ストッパ（４１）と、本体ケース（１）に固定されて棚側ストッパ（４１）を受け止める本体側ストッパ（４２）と、移動棚（２）の棚本体（１３）に固定された棚側係合部材（４３）と、本体ケース（１）に固定された本体側係合部材（４４）とを有し、
移動棚（２）を後退位置から前方位置に向けて引き出すと、棚側係合部材（４３）と本体側係合部材（４４）とが当接する仮止め状態となり、
かかる仮止め状態から、さらに移動棚（２）を前方に引き出すと、本体側ストッパ（４２）により棚側ストッパ（４１）が受け止められて移動棚（２）は前方位置に至り、加えて棚側係合部材（４３）と本体側係合部材（４４）とが係合状態に至り、
本体側ストッパ（４２）による棚側ストッパ（４１）の前方への移動規制と、棚側係合部材（４３）と本体側係合部材（４４）との係合状態とが相俟って、前方位置における移動棚（２）の不用意な前後方向への移動が規制されるようになっている請求項１記載の冷却庫。
【請求項３】
棚側係合部材（４３）は、板材を下向きの山形に屈曲してなるものであり、
本体側係合部材（４４）は、板材を下向きの山形に屈曲してなるものであって、棚側係合部材（４３）の上方からの嵌まり込み係合を許す上向き開口を有する凹部（４４ａ）とされており、
凹部（４４ａ）よりも後方に位置する板材は、後方に向かって片持ち状に連出しており、該板材の後端部に棚側係合部材（４３）が当接することで、移動棚（２）が仮止め状態となるようになっており、
かかる仮止め状態から移動棚（２）を斜め前上方に引き出し、本体側ストッパ（４２）で棚側ストッパ（４１）が受け止められた状態で移動棚（２）を下方に移動させると、棚側係合部材（４３）が本体側係合部材（４４）に嵌まり込み係合して、係合状態が確立されるように構成されている請求項２記載の冷却庫。
【請求項４】
棚側ストッパ（４１）と本体側ストッパ（４２）とに、仮止め状態からの移動棚（２）の上方への移動限界を規制するための上下移動規制部（４７）・（４８）がそれぞれ設けられている請求項２又は３記載の冷却庫。
【請求項５】
前扉（１４）に、棚本体（１３）の縦姿勢を維持するためのロック手段（２６）が設けられている請求項１乃至４のいずれかに記載の冷却庫。
【請求項６】
本体ケース（１）の上面に、移動棚（２）を前方へ引き出し操作することなく棚本体（１３）内の被冷却物の取り出すための開口（４）と、この開口（４）を開閉操作するためのスライド扉（３）とが設けられている請求項１乃至５のいずれかに記載の冷却庫。
【請求項７】
前扉（１４）の揺動速度を制御するための制動手段（２５）が設けられている請求項１乃至６のいずれかに記載の冷却庫。
【発明の詳細な説明】
【技術分野】
【０００１】
本発明は、例えば収容箱に収容した被冷却物を引出し扉式の移動棚に収容して、冷蔵又は冷凍保管する冷却庫に関する。
【背景技術】
【０００２】
この種の冷却庫としては、例えば特許文献１に示すものが挙げられる。そこでは、断熱構造の箱形に形成された本体ケースの前面開口側に、前後移動可能な引出し扉式の移動棚が上下複数段で配置されている。そして、移動棚を前方に引き出し、移動棚の上面開口から移動棚内に被冷却物を差し入れて収容するようになっている。
【０００３】
【特許文献１】特開平７−２２９６７５号公報（図１）
【発明の開示】
【発明が解決しようとする課題】
【０００４】
特許文献１に示す冷却庫では、被冷却物を移動棚よりも上方に持ち上げて、移動棚の上面開口から移動棚内に差し入れることになる。このため、例えば重い被冷却物を移動棚内に収容する場合には、その収容作業が重労働になる。
【０００５】
本発明は、以上のような問題を解決するためになされたものであり、移動棚への被冷却物の収容を容易に行える冷却庫を提供することを目的とする。
【課題を解決するための手段】
【０００６】
本発明は、断熱構造の本体ケース１の前面開口側に、引出し扉式の移動棚２が配置された冷却庫を対象とする。移動棚２は、前面および上面が開口する棚本体１３と、棚本体１３の前端に上下揺動可能に支持されて棚本体１３の前面開口を開閉する前扉１４とを有する。前扉１４は、図３に示すように棚本体１３の前面開口を閉じる縦姿勢と、図５に示すように縦姿勢から９０°倒れて棚本体１３の前面開口を開く横臥姿勢との間で切り替え可能に構成されている。移動棚２は、図３に示すように棚本体１３の全体が本体ケース１内に収容された後退位置と、図１および図５に示すように棚本体１３が後退位置よりも前方に引き出された前方位置との間で、前後方向にスライド移動可能に構成されている。そして、移動棚２を後退位置から前方位置まで引き出すととも、前扉１４を横臥姿勢に切り替えたとき、棚本体１３に対する被冷却物の収容動作が可能となっており、加えて移動棚２の前方位置における前後方向の移動を規制するための移動規制手段４０が設けられていることを特徴とする。
【０００７】
図１に示すように、移動規制手段４０は、移動棚２の棚本体１３に固定された棚側ストッパ４１と、本体ケース１に固定されて棚側ストッパ４１を受け止める本体側ストッパ４２と、移動棚２の棚本体１３に固定された棚側係合部材４３と、本体ケース１に固定された本体側係合部材４４とを有する。移動棚２を後退位置から前方位置に向けて引き出すと、棚側係合部材４３と本体側係合部材４４とが当接する仮止め状態（図１０参照）となり、かかる仮止め状態から、さらに移動棚２を前方に引き出すと、本体側ストッパ４２により棚側ストッパ４１が受け止められて移動棚２は前方位置に至り、加えて棚側係合部材４３と本体側係合部材４４とが係合状態に至る（図１参照）。この状態では、本体側ストッパ４２による棚側ストッパ４１の前方への移動規制と、棚側係合部材４３と本体側係合部材４４との係合状態とが相俟って、前方位置における移動棚２の不用意な前後方向への移動が規制される。
【０００８】
棚側係合部材４３は、板材を下向きの山形に屈曲してなり、本体側係合部材４４は、板材を下向きの山形に屈曲してなるものであって、棚側係合部材４３の上方からの嵌まり込み係合を許す上向き開口を有する凹部４４ａとする。凹部４４ａよりも後方に位置する板材は、後方に向かって片持ち状に連出しており、該板材の後端部に棚側係合部材４３が当接することで、移動棚２が仮止め状態となる（図１０参照）。かかる仮止め状態から移動棚２を斜め前上方に引き出し（図１１参照）、本体側ストッパ４２で棚側ストッパ４１が受け止められた状態で移動棚２を下方に移動させると、棚側係合部材４３が本体側係合部材４４に嵌まり込み係合して、係合状態が確立されるように構成されている（図１参照）。ここでの山形には、Ｖ字状の場合とＵ字状の場合等が含まれる。
【０００９】
棚側ストッパ４１と本体側ストッパ４２とには、仮止め状態からの移動棚２の上方への移動限界を規制するための上下移動規制部４７・４８をそれぞれ設ける。
【００１０】
前扉１４に、棚本体１３の縦姿勢を維持するためのロック手段２６を設ける。
【００１１】
図２に示すことく本体ケース１の上面に、移動棚２を前方へ引き出し操作することなく棚本体１３内の被冷却物の取り出すための開口４と、この開口４を開閉操作するためのスライド扉３とを設けることができる。
【００１２】
前扉１４の揺動速度を制御する緩衝手段２５を設けることができる。
【発明の効果】
【００１３】
本発明においては、移動棚２を後退位置から前方位置まで引き出すとともに、前扉１４を９０°倒して棚本体１３の前面開口を開くことができるようにした。したがって、棚本体１３の前側から棚本体１３内に被冷却物を容易に差し入れて収容することが可能となる。つまり、例えば被冷却物を棚本体１３よりも上方に持ち上げて、棚本体１３の上面開口から棚本体１３内に収容しなくても済み、この分だけ移動棚２の棚本体１３内への被冷却物の収容動作の手間および作業負担を軽減できる。
【００１４】
移動棚２を前方位置まで引き出したとき、前後方向の移動を規制する移動規制手段４０を設けていると、移動棚２が前方位置から過剰に引き出されて、移動棚２が本体ケース１から脱落すること、および被冷却物の収容動作の際に移動棚２が前後方向に不用意に動くことを防止できる。したがって移動棚２を前方位置で安定的に保持しながら、被冷却物の収容動作を行うことができる。
【００１５】
移動棚２を後退位置から引き出したときに、棚側係合部材４３と本体側係合部材４４とが当接する仮止め状態となるようにしていると、当該仮止め状態となるまでは、移動棚２を支障なく引き出し操作することができる。
【００１６】
加えて前記仮止め状態から移動棚２を引き出すと、本体側ストッパ４２により棚側ストッパ４１が受け止められて移動棚２は前方位置に至り、加えて棚側係合部材４３と本体側係合部材４４とが係合状態に至って、前方位置における移動棚２の前後方向への移動が規制されるようにしていると、移動棚２を仮止め状態から引き出すだけの簡単な操作で、移動棚２が前方位置に至って前後方向への移動を確実に規制できる。
【００１７】
棚側係合部材４３が、板材を下向きの山形に屈曲してなるものであり、本体側係合部材４４が、板材を下向きの山形に屈曲してなる凹部４４ａとされ、凹部４４ａよりも後方に位置する板材が後方に向かって片持ち状に連出してあると、棚側係合部材４３と本体側係合部材４４とを簡単な形状で作成でき、この分だけ棚側係合部材４３と本体側係合部材４４との作製に掛かるコストを抑えることができる。
【００１８】
本体側ストッパ４２で棚側ストッパ４１が受け止められた状態で移動棚２を下方に移動させると、棚側係合部材４３が本体側係合部材４４に嵌まり込み係合して、前方位置における移動棚２の前後方向への移動が規制されるようにしていると、目視によって移動棚２を前方位置に合わせなくても済み、仮止め状態後の前方位置への移動操作を簡単且つ確実に行うことができる。
【００１９】
棚側ストッパ４１と本体側ストッパ４２とに、移動棚２の上方への移動限界を規制する上下移動規制部４７・４８を設けてあると、仮止め状態からの移動棚２の過度の上方移動を規制できる。したがって本体側ストッパ４２が棚側ストッパ４１で受け止められずに移動棚２が過剰に引き出されることを防止することができ、棚側係合部材４３と本体側係合部材４４とを確実に係合状態にすることができる。
【００２０】
前扉１４に、棚本体１３の縦姿勢を維持するためのロック手段２６を設けてあると、前扉１４が不用意に揺動して棚本体１３の前面開口が開かれて、本体ケース１内の冷気が漏れ出すこと等を防止できる。
【００２１】
本体ケース１の上面の開口４をスライド扉３で開閉操作すると、移動棚２を前方へ引き出し操作することなく移動棚２の棚本体１３内に収容された被冷却物を取り出すことができ、これによって冷却庫の利便性の向上を図ることができる。
【００２２】
前扉１４に緩衝手段２５を設けると、前扉１４が急激に揺動して前扉１４と棚本体１３とを揺動可能に連結する揺動軸に過度の衝撃が加わって、該揺動軸が破損等することを確実に抑制することができる。
【発明を実施するための最良の形態】
【００２３】
本発明に係る冷却庫の実施形態を図１ないし図１１に基づいて説明する。図２および図３において冷却庫は、断熱構造の箱形に形成された本体ケース１と、本体ケース１の前面開口側に配置され、前後移動可能な引出し扉式の上下三段の移動棚２と、本体ケース１の上面前部に設けた開口４を前後方向にスライド移動することで開閉操作するスライド扉３と、本体ケース１の後側に配置された機械室５とを有する。
【００２４】
機械室５内には、圧縮機および凝縮器等からなる冷凍装置６が収容されており、冷凍装置６の熱交換器７が本体ケース１内の後部に配置される。そして、熱交換器７によって生成された冷気がファン８での送風作用によって本体ケース１内を循環し、これにて本体ケース１内が冷却される。
【００２５】
機械室５の後面および下面には、通気窓９・９がそれぞれ配置される。本体ケース１内の前面上端部には、本体ケース１内の温度等を表示するとともに本体ケース１内の温度設定等を行うための操作スイッチ等を配置した操作部１０が設けられる。機械室５の後面には、ゴム製のスペーサ１１が配置され、スペーサ１１によって冷却庫と厨房の壁等との間に通気スペースが形成される。本体ケース１の下面には、キャスタ１２が配置される。
【００２６】
各移動棚２は、上面および前面が開口する箱形の棚本体１３と、該棚本体１３の前端に上下揺動可能に支持されて棚本体１３の前面開口を開閉する前扉１４とを有し、各移動棚２の棚本体１３内に、被冷却物を収容した段ボール製の収容箱１５が収容される。棚本体１３の後端部の左右の下端には、図１および図６に示すように、ローラ１６・１６が回転自在に設けられており、本体ケース１の左右内面には、前後方向に伸びる一対のレール１７・１７が固定され、ローラ１６・１６が、レール１７・１７内を転動する。棚本体１３の左右の上端部は、外側へ屈曲して前後方向に伸びる一対のレール１８・１８を形成しており、レール１８・１８が、本体ケース１の左右内面の前端部に回転自在に設けられたローラ１９・１９に支持される。
【００２７】
そして、移動棚２は、棚本体１３の全体が本体ケース１内に収容された後退位置（図３の位置）と、棚本体１３が後退位置よりも前方に引き出された所定の前方位置（図５の位置）との間で、前後方向にスライド移動可能に構成されている。
【００２８】
前扉１４は、断熱構造になっており、前扉１４の前面上端部に左右横長の取っ手２０が設けられる。前扉１４の後面の縁の全周には、マグネットパッキン２１が取り付けられており、移動棚２が前記後退位置にあるときには、縦姿勢の前扉１４のマグネットパッキン２１が、本体ケース１の前面開口の縁部および本体ケース１の前面開口に設けた横桟２２の前面に密着する。これにて、棚本体１３の前面開口が、縦姿勢の前扉１４によって閉じられる。
【００２９】
また、前扉１４は、前記縦姿勢と、該縦姿勢から揺動することで９０°倒れて棚本体１３の前面開口を開く横臥姿勢（図５の状態）との間で切り替え可能に構成される。そして、移動棚２を前記後退位置から前記前方位置まで引き出すとともに、前扉１４を横臥姿勢に切り替えたとき、棚本体１３に対する前記収容箱１５の収容動作が可能になる。
【００３０】
つまり、前扉１４の後面下部と棚本体１３の前端下部とは、図１および図６に示すように、左右一対の揺動軸２３・２３を介して連結されており、前扉１４は揺動軸２３・２３を中心に上下揺動する。前扉１４の後面下部には、前扉１４の揺動速度を制御するガススプリング（緩衝手段）２５の一端が連結され、該ガススプリング２５の他端が棚本体１３の左右側壁の前後中央に連結される。ガススプリング２５によって前扉１４が急激な速度で上下揺動することが抑えられる。
【００３１】
前扉１４は、ロック手段２６によって前記縦姿勢を解除可能に維持（ロック）される。つまり、ロック手段２６は、図６に示すように、前扉１４の後面側の中央部から左右方向にそれぞれ伸びる一対のロック棒２７・２７と、前扉１４の中央部に配置されて両ロック棒２７・２７にそれぞれ連結される揺動レバー２９と、移動棚２の棚本体１３の前端部の左右に固定されてロック棒２７の先端部３０が係合する係合孔３１を設けた一対の受部３２・３２とを有する。そして、ロック棒２７の先端部３０が係合孔３１に係合することで、前扉１４が縦姿勢で棚本体１３にロックされる。なお、ロック棒２７の中間部は屈曲形成されている。
【００３２】
両ロック棒２７・２７および揺動レバー２９は、前扉１４の後面に取り付けられたカバー３３内に収容される。揺動レバー２９の中央部は、カバー３３の内面に取り付けられた支持部材３５に揺動自在に軸支される。また、揺動レバー２９は、該揺動レバー２９の軸に取り付けたねじりバネ３６によって、ロック棒２７をカバー３３から突出させる方向に付勢している。揺動レバー２９の上端部には、操作部３７が上方向に延出しており、該操作部３７がカバー３３の上面から上方へ突出している。そして、操作部３７をねじりバネ３６の付勢力に抗して揺動操作することで、ロック棒２７の先端部３０が、カバー３３内側へ移動して棚本体１３の係合孔３１から外れ、ロック状態が解除される。
【００３３】
ロック棒２７の先端部３０は、図７に示すように、後面３０ａが左右方向に傾斜している。これにて前扉１４を横臥姿勢から縦姿勢に切り替える操作に伴って、ロック棒２７の先端部３０の後面３０ａが受部３２の前端３２ａに当接したときに、ロック棒２７の先端部３０がカバー３３内ヘ押し込まれる。この後、前扉１４の揺動に応じてロック棒２７の先端部３０が受部３２の表面を摺動し、前扉１４が縦姿勢になったときには、ロック棒２７の先端部３０がカバー３３から突出して係合孔３１に係合する。
【００３４】
本体ケース１および移動棚２には、移動棚２の前方位置における前後方向の移動を規制するための移動規制手段４０が設けられている。移動規制手段４０は、図８に示すように、移動棚２の棚本体１３の後端部の左右にそれぞれ固定された棚側ストッパ４１・４１と、本体ケース１の左右内面に固定されて棚側ストッパ４１・４１をそれぞれ受け止める本体側ストッパ４２・４２と、移動棚２の棚本体１３の下面において棚側ストッパ４１・４１よりも前側に固定された棚側係合部材４３と、本体ケース１の前端部に固定された本体側係合部材４４とを有する。
【００３５】
移動棚２の棚側ストッパ４１は、図８および図９に示すように、その後端部において本体ケース１側に向けて山形（Ｖ字状）に屈曲形成した棚位置規制部４６と、棚側ストッパ４１の前部の下端において本体ケース１側に向けて延出した棚側上下移動規制部４７とを有する。本体ケース１の本体側ストッパ４２は、上下端部が移動棚２側へ屈曲するコ字状に形成され、その上端部によって本体側上下移動規制部４８が構成される。
【００３６】
そして、棚側ストッパ４１の棚位置規制部４６が、本体側ストッパ４２の本体側上下移動規制部４８の後端に当接することで（図１１の状態）、移動棚２の前方への移動限界が規制される。また、棚側上下移動規制部４７の上面が本体側上下移動規制部４８の下面に当接することで、移動棚２の上方への移動限界が規制される。本体側ストッパ４２の下端部４９は、アングル５０を介して本体ケース１の内面に固定される。
【００３７】
移動棚２の棚側係合部材４３は、図１および図８に示すように、左右横長の板材を下向きの山形（Ｖ字状）に屈曲してなるものであり、本体ケース１の本体側係合部材４４は、左右横長の板材の後端側を下向きの山形（Ｖ字状）に屈曲してなるものであって、棚側係合部材４３の上方からの嵌まり込み係合を許す上向き開口を有する凹部４４ａとされる。本体側係合部材４４は、凹部４４ａよりも後方に位置する板材が後方に向かって片持ち状に連出しており、該板材の後端部に棚側係合部材４３が当接することで、移動棚２が仮止め状態となって、移動棚２の前方への移動が規制される。また、本体側係合部材４４は、前側が連結部材４５を介して本体ケース１に固定される。移動棚２を後退位置から前方へ移動させたときには、棚側ストッパ４１の棚位置規制部４６が本体側ストッパ４２の上端部４８の後端に当接して受け止められるよりも前に、移動棚２の棚側係合部材４３が本体ケース１の本体側係合部材４４の後端側に当接する。
【００３８】
スライド扉３は、図３および図４に示すように、本体ケース１の上面に凹み形成された扉収容スペース５１内に収容され、該扉収容スペース５１の前部に前記開口４が配置される。開口４は、後退位置にある最上段の移動棚２の棚本体１３の上面開口に臨んでいる。扉収容スペース５１内の左右側面には、一対のレール５２が配置され、該レール５２上をスライド扉３の左右側面に設けたローラ５３・５３が転動する。レール５２は、前下りの傾斜状になっており、スライド扉３は、その自重で本体ケース１の上面の開口４を閉じる方向に移動する。
【００３９】
扉収容スペース５１の後半部の上面は、着脱自在の外装カバー５５で塞がれており、外装カバー５５を取り外すことで、扉収容スペース５１の後半部内を容易に清掃できる。スライド扉３は、前方に移動させて上方に持ち上げることで、本体ケース１の上面から取り外すことができる。スライド扉３の下面の縁の全周には、マグネットパッキン５６が取り付けられており、スライド扉３で開口４を閉じたときには、スライド扉３のマグネットパッキン５６が、本体ケース１の開口４の周縁に密着する。スライド扉３の上面の前端には、左右横長の板状の取っ手５７が設けられる。そして、スライド扉３を開くことで、移動棚２を前方へ引き出し操作することなく、本体ケース１の開口４から最上段の移動棚２に収容した収容箱１５内の被収容物を取り出すことができる。
【００４０】
次に、本冷却庫の移動棚２の操作手順を説明する。移動棚２内の被収容物を取り出す際には、移動棚２を図３および図８に示す後退位置から引き出す。すると、図１０に示すように移動棚２の棚側係合部材４３が、本体ケース１の本体側係合部材４４の後端側に当接して仮止め状態となる。この仮止め状態で移動棚２内の被収容物を取り出すことができる。このとき、棚側係合部材４３と本体側係合部材４４との仮止め状態によって移動棚２の前方への移動が規制されるので、移動棚２が本体ケース１から抜け落ちることがない。
【００４１】
移動棚２内に、被冷却物を収容した収容箱１５を収容する際には、前述の仮止め状態から移動棚２の取っ手２０を持って移動棚２を斜め上方向に引き出す。すると、移動棚２の棚側係合部材４３が、本体ケース１の本体側係合部材４４の上方に移動して前記仮止め状態が解除される。このとき、棚側ストッパ４１の棚側上下移動規制部４７が、本体側ストッパ４２の本体側上下移動規制部４８に当接することで、移動棚２の上方への移動限界が規制される。
【００４２】
この状態で該移動棚２を前方へ引き出すと、図１１に示すように、棚側ストッパ４１の棚位置規制部４６が、本体側ストッパ４２の本体側上下移動規制部４８の後端に当接して受け止められる。この受け止められた状態で移動棚２を下方に移動させると、図１に示すように、移動棚２の棚側係合部材４３が本体ケース１の本体側係合部材４４の凹部４４ａに嵌まり込み係合して、該係合状態が確立される。つまり、移動棚２の前後方向への移動が規制される。
【００４３】
この後、移動棚２の前扉１４のロック手段２６の操作部３７を、ねじりバネ３６の付勢力に抗して揺動操作することで、ロック棒２７の先端部３０が棚本体１３の係合孔３１から外れる。その状態のまま前扉１４を前側に揺動させることで、図５に示すように、前扉１４が横臥姿勢に切り替えられて棚本体１３の前面開口が開かれる。この状態で、棚本体１３の前面開口から棚本体１３内に収容箱１５を収容できる。
【００４４】
移動棚２の前扉１４の揺動操作後に操作部３７から手を離すと、ねじりバネ３６の付勢力でロック棒２７の先端部３０が前扉１４の外方に突出する。そして、移動棚２の前扉１４を揺動させて縦姿勢に戻すと、ロック棒２７の先端部３０が棚本体１３の係合孔３１に係合して、前扉１４の縦姿勢が維持される。
【００４５】
次いで、移動棚２の取っ手２０を持って移動棚２の前部を持ち上げる。これにて、移動棚２の棚側係合部材４３が、本体ケース１の本体側係合部材４４の上方に移動して前記係合状態が解除される。そのまま移動棚２を本体ケース１内に押し込む。そして、移動棚２の棚側係合部材４３が、本体ケース１の本体側係合部材４４の後方に移動すると移動棚２の前部を下ろし、さらに移動棚２を本体ケース１内に押し込む。すると、移動棚２の前扉１４で本体ケース１の前面開口が閉じられ、前扉１４のマグネットパッキン２１が、本体ケース１の前面開口の縁および横桟２２の前面に密着する。
【００４６】
移動棚２を本体ケース１から取り外す場合には、移動棚２を本体ケース１から半分程度引き出したのち、移動棚２の取っ手２０を持って移動棚２の前部を持ち上げる。このときには、棚側ストッパ４１は本体側ストッパ４２よりも後方に位置している。このまま移動棚２を前方へ移動させることで、棚側ストッパ４１が本体側ストッパ４２の上側を通過して、移動棚２が本体ケース１から取り外される。
【００４７】
移動棚２を本体ケース１に戻す場合には、移動棚２の前部を持ち上げた姿勢で、棚本体１３の後端部のローラ１６を本体ケース１のレール１７に嵌め込む。この状態で、移動棚２を本体ケース１内に押し込み、棚側ストッパ４１を本体側ストッパ４２の上側を通過させる。この後、移動棚２の前部を下ろし、さらに移動棚２を本体ケース１内に押し込むことで、移動棚２の前扉１４で本体ケース１の前面開口が閉じられる。
【００４８】
このように、移動棚２の前扉１４を９０°倒して棚本体１３の前面開口を開くことができるようにした。したがって、棚本体１３の前側から棚本体１３内に被冷却物を容易に差し入れて収容することが可能になる。つまり、重い被冷却物を棚本体１３よりも上方に持ち上げて、棚本体１３の上面開口から棚本体１３内に収容しなくても済み、移動棚２の棚本体１３内に被冷却物を収容する際の手間および作業負担を軽減できる。
【００４９】
移動棚２を後退位置から前方位置に引き出したとき、棚側係合部材４３と本体側係合部材４４とが当接して仮止め状態になるので、移動棚２を後退位置から前方に過剰に引き出されて、移動棚２が本体ケース１から脱落することを防止できる。
【００５０】
加えて前記仮止め状態から移動棚２を引き出すと、本体側ストッパ４２により棚側ストッパ４１が受け止められて移動棚２は前方位置に至り、加えて棚側係合部材４３と本体側係合部材４４とが係合状態に至って、前方位置における移動棚２の前後方向への移動が規制されるので、移動棚２を仮止め状態から引き出すだけの簡単な操作で、移動棚２が前方位置に至って前後方向への移動を規制できる。
【００５１】
前記説明では、ロック手段２６は、前扉１４のロック棒２７が棚本体１３の係合孔３１に係合することで、前扉１４が縦姿勢でロックされるようになっているが、ロック棒２７に代えて、例えば、操作部３７の操作に応じて左右方向に揺動するフックを設け、該フックが着脱可能に棚本体１３の係合孔３１に係止されることで、前扉１４が縦姿勢でロックされるようにしてもよい。
【００５２】
ガススプリング２５は、移動棚２の左右のいずれか一方のみに設けてもよい。緩衝手段としてガススプリング２５に代えて、例えばコイルバネを配置して、該コイルバネによって前扉１４の上下揺動速度を抑えるようにしてもよい。
【００５３】
棚側係合部材４３と本体側係合部材４４とは、例えば、棚側係合部材４３がピンであり、本体側係合部材４４が、前記ピンが係合する孔を設けた板材であってもよい。移動規制手段４０の棚側ストッパ４１と本体側ストッパ４２とは、左右のいずれか一方のみに設けてもよい。
【図面の簡単な説明】
【００５４】
【図１】本発明に係る冷却庫の移動棚を示す側面図である。
【図２】本発明の冷却庫の斜視図である。
【図３】本発明の冷却庫の縦断側面図である。
【図４】本発明の冷却庫の要部を示す縦断側面図である。
【図５】移動棚の前扉を横臥姿勢に揺動させた状態を示す側面図である。
【図６】図１のＡ−Ａ線断面図である。
【図７】図１のＢ−Ｂ線断面図である。
【図８】図１のＣ−Ｃ線断面図である。
【図９】図１のＤ−Ｄ線断面図である。
【図１０】移動棚の操作手順を説明するための縦断側面図である。
【図１１】移動棚の操作手順を説明するための縦断側面図である。
【符号の説明】
【００５５】
１  本体ケース
２  移動棚
３  スライド扉
４  開口
１３  棚本体
１４  前扉
２３  揺動軸
２５  ガススプリング
２６  ロック手段
４０  移動規制手段
４１  棚側ストッパ
４２  本体側ストッパ
４３  棚側係合部材
４４  本体側係合部材
４６  棚位置規制部
４７  棚側上下移動規制部
４８  本体側上下移動規制部
【図１】
2010014341.tif 000003
【図２】
2010014341.tif 000004
【図３】
2010014341.tif 000005
【図４】
2010014341.tif 000006
【図５】
2010014341.tif 000007
【図６】
2010014341.tif 000008
【図７】
2010014341.tif 000009
【図８】
2010014341.tif 000010
【図９】
2010014341.tif 000011
【図１０】
2010014341.tif 000012
【図１１】
2010014341.tif 000013